(57)【要約】【課題】シンク底壁の排水口部分の形状を簡略化して、清掃性やデザイン性の向上を図り、例えば排水口部分をシンクに一体成形可能な排水構造を提供する。【解決手段】シンクの底壁に下方に突出状態で例えば一体成形されその底壁部に設けた開口に排水トラップが接続された凹部と、排水トラップの排水口部分に着脱可能に配置された目皿と、凹部内に位置する状態で目皿上に着脱可能に配置された網カゴと、該網カゴ上に着脱可能に配置された排水蓋と、を備えることを特徴とする。前記目皿は、略平坦でその中央部分に排水用の抜き孔が形成された底壁部と、該底壁部の外周縁に上方に突出状態で形成された複数の網カゴ支持部を有し、網カゴ支持部は、網カゴの底壁部形状に対応した支持片を有して網カゴの外周部を４点支持する。【選択図】  図２
2008075268.tif 000002
【特許請求の範囲】
【請求項１】
シンクの底壁に下方に突出状態で設けられその底壁部に設けた開口に排水トラップが接続された凹部と、前記排水トラップの排水口部分に着脱可能に配置された目皿と、前記凹部内に位置する状態で前記目皿上に着脱可能に配置された網カゴと、該網カゴ上に着脱可能に配置された排水蓋と、を備えることを特徴とする排水構造。
【請求項２】
前記凹部は、前記シンクの底壁に一体成形されていることを特徴とする請求項１に記載の排水構造。
【請求項３】
前記目皿は、略平坦でその中央部分に排水用の抜き孔が形成された底壁部と、該底壁部の外周縁に上方に突出状態で形成された複数の網カゴ支持部と、を有することを特徴とする請求項１または２に記載の排水構造。
【請求項４】
前記網カゴ支持部は、前記網カゴの底壁部形状に対応した支持片を有し、該支持片が網カゴの外周部を４点支持することを特徴とする請求項３に記載の排水構造。
【請求項５】
前記網カゴは、その上縁外周部が前記凹部の内面に対して所定の隙間を有する状態で前記目皿上に配置されることを特徴とする請求項１ないし４のいずれかに記載の排水構造。
【発明の詳細な説明】
【技術分野】
【０００１】
本発明は、例えばシステムキッチン等のキッチンのシンク底壁に設けられる排水構造に関する。
【背景技術】
【０００２】
従来、シンクの底壁に設けられる排水構造としては、例えば特許文献１及び特許文献２に開示されている。このうち、特許文献１に開示の排水構造は、シンクの底壁に設けた開口に、底壁にＳ字トラップが固定された深底形状の外装体の外周フランジをシール材を介して下方に突出状態で取り付け、この外装体の内面上部に突出状態で設けた受け部上に網カゴのフランシを着脱可能に載置すると共に、この網カゴのフランジ上に菊割れゴム（排水蓋）を着脱可能に載置したものである。
【０００３】
また、特許文献２に開示の排水構造は、下部にトラップが一体的に設けられた本体を、シンクの底壁に設けた開口にシール材を介して下方に突出状態で取り付け、この本体のトラップ上方の内面に設けた段差上に網カゴの外周フランジを着脱可能に載置すると共に、この網カゴ上に排水蓋を着脱可能に載置したものである。
【特許文献１】実開平６−８７４７４号公報
【特許文献２】登録実用新案第３００４７６２号公報
【発明の開示】
【発明が解決しようとする課題】
【０００４】
しかしながら、このような排水構造においては、外装体や本体をシンク底壁に設けた開口部分に下方に突出状態で固定し、この外装体や本体に網カゴや排水蓋を着脱可能に載置する構造であることから、網カゴを載置保持するために、外装体の上部内面に内側方向に突出した受け部（特許文献１）を設けたり本体の上部内面に段差（特許文献２）を設ける必要があり、排水口となる外装体や本体上部の形状が複雑化して、その清掃作業がし難くなる場合がある。また、外装体や本体をシンク底壁の開口部分にシール性を有して固定する必要があり、シール部分が多くなってその作業が面倒になると共に、排水口部分のデサイン性を十分に高めることが難しい。
【０００５】
本発明は、このような事情に鑑みてなされたもので、その目的は、シンク底壁の排水口部分の形状を簡略化して、清掃性やデザイン性の向上を図り、例えば排水口部分をシンクに一体成形可能な排水構造を提供することにある。
【課題を解決するための手段】
【０００６】
かかる目的を達成すべく、本発明のうち請求項１に記載の発明は、シンクの底壁に下方に突出状態で設けられその底壁部に設けた開口に排水トラップが接続された凹部と、前記排水トラップの排水口部分に着脱可能に配置された目皿と、前記凹部内に位置する状態で前記目皿上に着脱可能に配置された網カゴと、該網カゴ上に着脱可能に配置された排水蓋と、を備えることを特徴とする。
【０００７】
そして、前記凹部は、請求項２に記載の発明のように、前記シンクの底壁に一体成形されていることが好ましい。また、前記目皿は、請求項３に記載の発明のように、略平坦でその中央部分に排水用の抜き孔が形成された底壁部と、該底壁部の外周縁に上方に突出状態で形成された複数の網カゴ支持部と、を有することが好ましく、この場合、前記網カゴ支持部は、請求項４に記載の発明のように、前記網カゴの底壁部形状に対応した支持片を有し、該支持片が網カゴの外周部を４点支持することが好ましい。さらに、前記網カゴは、請求項５に記載の発明のように、その上縁外周部が前記凹部の内面に対して所定の隙間を有する状態で前記目皿上に配置されることが好ましい。
【発明の効果】
【０００８】
本発明の請求項１に記載の発明によれば、シンクの底壁に下方に突出状態で凹部が設けられ、この凹部の開口に接続された排水トラップの排水口部分に目皿が着脱可能に配置されると共に、目皿上に網カゴが着脱可能に配置されるため、目皿上に網カゴを支持できて、凹部の内面に網カゴ支持用の受け部や段差等を設ける必要がなくなり、シンク底壁の排水口部分の形状やシール構造を簡略化して、清掃性の向上やデザイン性の向上等を図ることができる。
【０００９】
また、請求項２に記載の発明によれば、請求項１に記載の発明の効果に加え、凹部がシンクの底壁に一体成形されているため、シンク底壁と凹部の接続部を滑らかに形成できて、成形性の向上が図れると共に、排水口部分の清掃性やデザイン性の一層の向上を図ることができる。
【００１０】
また、請求項３に記載の発明によれば、請求項１または２に記載の発明の効果に加え、目皿が、抜き孔が形成された底壁部と底壁部の外周縁に上方に突出状態で形成された複数の網カゴ支持部を有するため、抜き孔により排水性能の低下を防止しつつ、複数の網カゴ支持部で網カゴを凹部内に安定して支持することができる。
【００１１】
また、請求項４に記載の発明によれば、請求項３に記載の発明の効果に加え、網カゴ支持部が網カゴの底壁部形状に対応した支持片を有して網カゴの外周部を４点支持するため、網カゴを凹部内に一層安定した状態で支持することができる。
【００１２】
さらに、請求項５に記載の発明によれば、請求項１ないし４に記載の発明の効果に加え、網カゴの上縁外周部が凹部の内面に対して所定の隙間を有する状態で目皿上に配置されているため、ゴミの網カゴ外への逃げを防止しつつ、網カゴ自体の着脱を良好に行うことができる。
【発明を実施するための最良の形態】
【００１３】
以下、本発明の実施の形態を図面に基づいて詳細に説明する。
図１〜図５は、本発明に係わる排水構造を採用したシステムキッチンの一実施形態を示し、図１がそのカウンターの平面図、図２が排水口部分の縦断面図、図３及び図４が目皿の平面図及び側面図、図５が排水口部分を分解した縦断面図である。
【００１４】
図１に示すように、システムキッチン１は、キャビネット（図示せず）の上面に配置されるカウンター２を有し、このカウンター２は、例えば人工大理石により平面視で略長方形状に形成され、その長手方向の一端側にシンク３が配置されると共に長手方向の他端側に設けた開口にはコンロ台４が配置されている。
【００１５】
前記シンク３は、平面視で略Ｌ字形状に形成され、そのコーナ部近傍に排水装置５が配置されている。この排水装置５は、図２に示すように、シンク３の略平坦な底壁３ａに一体成形により下方に突出状態で形成された凹部６と、この凹部６内に配置された目皿７及び網カゴ８と、凹部６の上面を閉塞する排水蓋９と、凹部６の底壁部６ａに接続された排水トラップ１０等によって構成されている。前記凹部６は、シンク３の底壁３ａに連続状態で下方に延設された側壁部６ｂと、該側壁部６ｂの下端に略平坦な状態で形成された前記底壁部６ａ等で形成され、シンク３の底壁３ａから側壁部６ｂ及び底壁部６ａにかけた内面は滑らかに形成されて突出部が存在しないように形成されている。
【００１６】
そして、この凹部６の底壁部６ａの中心位置には、平面視円形の開口１１が形成され、この開口１１に例えば浅型のＳ字トラップ（図示せず）を有する前記排水トラップ１０の外周端部がシール材等を介して取り付けられている。なお、排水トラップ１０は、その上流側端部に排水口１０ａが設けられると共に、この排水口１０ａが横方向に開口して前記Ｓ字トラップの端部が接続されるようになっている。
【００１７】
この排水トラップ１０の排水口１０ａ部分に前記目皿７が載置状態で配置されている。この目皿７は、図３及び図４に示すように、ステンレス板の加工もしくは樹脂成形により、凹部６の平面視形状に対応して平面視略円形に形成され、その底壁部の中心部分には一段低い第１底壁部７ａ１が形成されると共に、この第１底壁部７ａ１の外側に第２底壁部７ａ２が形成されている。この時、第１底壁部７ａ１は、その外径が前記排水トラップ１０の排水口１０ａの周縁に設けた段差（もしくは排水トラップ１０の排水口１０ａ）に嵌合されるように設定されると共に、扇形状の４個の抜き孔１２が形成されている。
【００１８】
また、前記第２底壁部７ａ２の外周縁で十字位置には、上方に寸法ｈ突出した合計４個の網カゴ支持部１３がそれぞれ一体形成されている。この網カゴ支持部１３は、幅ｗの立ち上げ部１３ａと、この立ち上げ部１３ａの上端に一体形成されて外側に延設された支持片１３ｂ等で構成されると共に、各立ち上げ部１３ａ間が開口状態とされて排水口を形成するようになっている。そして、各支持片１３ｂ上に後述する網カゴ８の底壁部８ａが載置されることにより、各支持片１３ｂが網カゴ８の底壁部８ａに略面接触状態で接触して目皿７上に網カゴ８が支持されるようになっている。
【００１９】
この目皿７上に配置される前記網カゴ８は、図２に示すように、深さが比較的浅いステンレス製金網あるいはステンレスのパンチング板等で形成されたカゴ８ｂと、このカゴ８ｂの開口端部に固着されたフランジ部材８ｃ等で構成されている。この時、網カゴ８は凹部６にセットした際に、そのフランジ部材８ｃの外径が凹部６の内面に対して僅か（例えば０．５ｍｍ程度）の隙間を有するように設定されると共に、底壁部８ａの外周部が前記目皿７の支持片１３ｂ上に接触するように設定されている。
【００２０】
この網カゴ８上に配置される前記排水蓋９は、例えばステンレス板の加工もしくは樹脂成形により、平面視円形でその外周側の一部に開口９ａを有する如く形成されている。この時、排水蓋９の外周縁９ｂは、シンク３の凹部６の開口縁部に上方から載置し得る形状に設定されて、水の流れが良好に維持されると共に、外周縁９ｂへのゴミの引っかかり等が防止されるようになっている。
【００２１】
次に、このように構成された排水装置５の動作の一例について説明する。先ず、排水装置５のシンク３へのセットは、図４に示すように、排水トラップ１０の排水口１０ａ部分に第１底壁部７ａ１を略嵌合状態で載置することにより凹部６内に目皿７を配置する。そして、目皿７を配置した状態で凹部６内に網カゴ８を嵌挿すると、その底壁部８ａが目皿７の４つの網カゴ支持部１３上に載置されて支持され、この時、前述したように、網カゴ８の底壁部８ａにおける比較的強度が高い外周部が支持片１３ｂに面接触状態で支持されるため、不用意に網カゴ８に力がかかってしまった場合でも網カゴ８の変形や毀損等を抑えることができる。なお、網カゴ８の底壁部８ａを支持片１３ｂの先端側ではなく基部側に面接触状態で支持させることによっても、網カゴ８の変形や毀損等を抑えることが可能となる。また、網カゴ８のフランジ部材８ｃは凹部６の内面に対して僅かな隙間を有した状態に設定される。
【００２２】
網カゴ８を凹部６内にセットしたら、この網カゴ８上の凹部６の開口端部に排水蓋９を載置して、排水蓋９を凹部６にセットする。この時、排水蓋９は、その外周部の一部に開口９ａが形成されているため、この開口９ａ部分を手でもってセットできると共に、凹部６がシンク３の底壁３ａの最深位置に設けられていることから、セットされた排水蓋９がその自重により凹部６の中心位置に自動的にセットされた状態となる。これにより、凹部６に目皿７、網カゴ８及び排水蓋９がセットされ、この状態でシンク３が使用されると、網カゴ８内にゴミが収容されつつ、排水は網カゴ８を通過して目皿７の４個の抜き孔１２や各網カゴ支持部１３の立ち上げ部１３ａ間の開口を通過して、排水トラップ１０の排水口１０ａを介して外部に排水される。
【００２３】
一方、網カゴ８にゴミが溜まった場合は、先ず、排水蓋９を凹部６から取り外すと共に凹部６内から網カゴ８を取り出して、網カゴ８内のゴミを処分すること等により行われる。また、排水装置５の清掃は、排水蓋９と網カゴ８を凹部６から取り外し、その後、目皿７を取り外し、この状態で排水蓋９や網カゴ８あるいは目皿７を清掃すると共に、凹部６の内面等を清掃することにより行われる。この時、シンク３に一体成形された凹部６の内面に従来のような突出部が存在しないことから、スポンジ等の清掃具により凹部６内を簡単かつ良好に清掃できることになる。
【００２４】
このように、上記実施形態の排水装置５を使用した排水構造にあっては、シンク３の底壁３ａに下方に突出状態で凹部６が設けられ、この凹部６の底壁部６ａに接続された排水トラップ１０の排水口１０ａ部分に目皿７が着脱可能に配置されると共に、目皿７上に網カゴ８が着脱可能に配置されるため、目皿７上に網カゴ８を支持できて、凹部６の内面に従来のような網カゴ支持用の受け部や段差等を設ける必要がなくなり、凹部６の形状やシール構造等を簡略化して、凹部６の清掃性を向上させたり凹部６部分（シンク３の底壁３ａ）のデザイン性の向上を図ることができる。
【００２５】
また、凹部６がシンク３の底壁３ａに従来のような突出部等を有することなく一体成形されるため、凹部６を有するシンク３の成形自体を容易、つまりカウンター２にシンク３と凹部６を同時に成形できて、その製造コストの低減化等を図ることができると共に、カウンター２全体や凹部６部分の意匠性をより高めて高級感のあるシステムキッチン１を得ることができる。また、シンク３が平面視Ｌ字形状に形成されているため、シンク３を図１の二点鎖線で示すように、所定位置で一人で使用したり対面式で二人で使用する等、家族状況に応じた使用が可能となり、従来にない使い勝手に優れたシステムキッチン１の提供が可能となる。
【００２６】
さらに、目皿７が、抜き孔１２が形成された第１底壁部７ａ１と第２底壁部７ａ２の外周縁に上方に突出状態で形成された４個の網カゴ支持部１３を有するため、抜き孔１２や各網カゴ支持部１３間の開口により排水性能の低下を防止しつつ、４個の網カゴ支持部１３で網カゴ７を凹部６内に安定支持することができる。特に、網カゴ支持部１３が網カゴ８の底壁部８ａ形状に対応した支持片１３ｂを有して網カゴ８の外周部を４点支持することから、網カゴ８を凹部６内に一層安定した状態で支持できると共に、網カゴ支持部１３の支持片１３ｂが排水トラップ１０の排水口１０ａに対して寸法ｈ上方に位置していることから、網カゴ８を通過した排水の流量低下を防止できて、良好な排水性能を維持することができる。
【００２７】
また、網カゴ８のフランジ部材８ｃが凹部６の内面に対して０．５ｍｍ程度の隙間を有する状態で目皿７上に配置されるため、ゴミの網カゴ８外への逃げを防止しつつ、網カゴ８自体の着脱を良好に行うことができる。また、目皿７上に排水及び手掛け用の開口９ａを一部に有する排水蓋９が着脱可能に配置されているため、排水蓋９により網カゴ８内を隠蔽してシンク３の凹部６部分の清潔さを維持できると共に、開口９ａにより排水蓋９自体の着脱を簡単かつ良好に行うことができる。
【００２８】
なお、上記実施形態においては、シンク３に設けられる凹部６を平面視円形に形成したが、本発明はこれに限定されるものではなく、例えば方形状や楕円形状等であっても良いし、目皿７の抜き孔１２の形状や個数も一例であって、例えば多数のパンチング孔とする等、適宜に変更することができる。また、上記実施形態においては、シンク３が平面視Ｌ字形状である場合について説明したが、例えば一般的な平面視方形状のシンクであっても良いし、目皿７自体の形状や網カゴ８の深さ等の形状、排水蓋９の形状等も一例であって、本発明に係わる各発明の要旨を逸脱しない範囲において適宜に変更することができる。
【産業上の利用可能性】
【００２９】
本発明は、システムキッチンのシンク排水口への適用に限らず、システムキッチン以外の各種シンクの排水口や他の衛生設備機器の排水にも適用できる。
【図面の簡単な説明】
【００３０】
【図１】本発明に係わる排水構造を採用したシステムキッチンのカウンターを示す平面図
【図２】同排水口部分の縦断面図
【図３】同目皿の平面図
【図４】同その正面図
【図５】同排水口部分を分解した縦断面図
【符号の説明】
【００３１】
１・・・システムキッチン、２・・・カウンター、３・・・シンク、３ａ・・・底壁、４・・・コンロ台、５・・・排水装置、６・・・凹部、６ａ・・・底壁部、７・・・目皿、７ａ１・・・第１底壁部、７ａ２・・・第２底壁部、８・・・網カゴ、８ａ・・・底壁部、８ｂ・・・カゴ、８ｃ・・・フランジ部材、９・・・排水蓋、９ａ・・・開口、９ｂ・・・外周縁、１０・・・排水トラップ、１０ａ・・・排水口、１１・・・開口、１２・・・抜き孔、１３・・・網カゴ支持部、１３ａ・・・立ち上げ部、１３ｂ・・・支持片。
【図１】
2008075268.tif 000003
【図２】
2008075268.tif 000004
【図３】
2008075268.tif 000005
【図４】
2008075268.tif 000006
【図５】
2008075268.tif 000007